(57)【要約】【課題】資格取得試験の点数によるポイントの発行と、該ポイントの使用を可能にすると共に、ユーザ間でのポイント交換ができるようにして、受験の促進を図ること。【解決手段】試験実施システム１００及びポイント・受験管理システム２００とが連携し、ユーザ４１０が受験した試験の結果の点数を試験結果情報２１３に格納し、該ユーザの次回の受験時には、試験結果情報２１３の情報と試験情報１１２の情報とに基づいてポイントを発行し、他の資格認定機関や試験作成機関の試験であっても、このポイントを受験料の一部として使用できるようにする。発行されるポイントは、試験情報１１２に登録されている事前に定められた各試験の点数に対する乗率により決定し、受験する試験がポイントを発行する元となった試験等と、それ以外の試験を受験する場合とで乗率を変化させる。【選択図】図２
2011141736.tif 000002
【特許請求の範囲】
【請求項１】
試験の実施と試験の作成管理とを担う試験実施システムと、
ユーザ情報、試験結果情報、及びポイント使用履歴を管理するポイント・受験管理システムと、
前記試験実施システムと通信網を介して通信可能に接続される受験者用端末装置と、
前記試験実施システム及び前記ポイント・受験管理システムと前記通信網を介して通信可能に接続される管理者用端末装置と、
前記ポイント・受験管理システムと前記通信網を介して通信可能に接続されるユーザ用端末装置と、
を備えたことを特徴とする資格取得試験のポイント管理システム。
【請求項２】
前記試験実施システムは、試験グループ情報を記憶するための試験グループ情報データベースと、試験情報を記憶するための試験情報データベースと、問題情報を記憶する問題情報データベースと、問題の選択肢情報を記憶するための選択肢情報データベースと、受験予定情報を記憶するための受験予定情報データベースと、試験の実施組織を形成する試験グループ、試験、試験問題、及び試験の選択肢の各々についての登録・変更・削除を担う試験管理手段と、ユーザに対する試験の実施を管理すると共に試験画面を提供し、問題抽出処理と、試験終了後の試験結果の書き込み処理を担う試験実施モジュール手段と、を備えたことを特徴とする請求項１記載の資格取得試験のポイント管理システム。
【請求項３】
前記ポイント・受験管理システムは、ユーザ情報を記憶するユーザ情報データベースと、ユーザグループ情報を記憶するユーザグループ情報データベースと、試験結果情報を記憶する試験結果情報データベースと、ポイント使用履歴を記憶するポイント使用履歴データベースと、管理者によるユーザ登録処理及びユーザグループ登録処理を担うと共にユーザによるユーザ登録処理、ユーザグループ登録処理、受験の申し込み処理、及びポイントの管理を担う試験申し込み手段と、前記試験申し込み手段と連携して、ユーザからのアクセスに基づくユーザの登録・変更・更新処理、及び前記ユーザグループ情報の変更・削除の処理を担うユーザ登録手段と、を備えたことを特徴とする請求項１及び請求項２記載の資格取得試験のポイント管理システム。
【請求項４】
前記試験グループ情報データベースは、試験グループＩＤを主キーにして、グループ名、登録用パスワード、管理者ＩＤ、管理用パスワード、及び試験機関名を格納し、
前記試験情報データベースは、試験ＩＤを主キーにして、試験名、出題数、最大点数、最小点数、合格点、試験グループＩＤ、受験料金、試験ポイント乗率、グループ試験ポイント乗率、他の試験ポイント乗率、ポイント管理割合、管理者ＩＤ、登録用パスワード、及び管理用パスワードを格納することを特徴とする請求項２記載の資格取得試験のポイント管理システム。
【請求項５】
前記問題情報データベースは、問題ＩＤを主キーにして、試験ＩＤ、問題文、点数、管理者ＩＤ、及び管理用パスワードを格納し、
前記選択肢情報データベースは、前記選択肢ＩＤを主キーにして、問題ＩＤ、選択肢文、及び正解フラグを格納することを特徴とする請求項２記載の資格取得試験のポイント管理システム。
【請求項６】
前記ユーザ情報データベースは、ユーザＩＤを主キーにして、当該ユーザの、氏名、生年月日、パスワード、メールアドレス、住所、電話番号、所属グループＩＤ、及び管理者フラグを格納し、
前記ユーザグループ情報データベースは、ユーザグループＩＤを主キーにして、ユーザグループ名、登録用パスワード、代表ユーザＩＤ、及び管理用パスワードを格納することを特徴とする請求項３記載の資格取得試験のポイント管理システム。
【請求項７】
前記試験結果情報データベースには、試験結果ＩＤを主キーにして、受験予定ＩＤ、点数、及び合否フラグを格納することを特徴とする請求項３記載の資格取得試験のポイント管理システム。
【請求項８】
前記ポイント処理履歴情報データベースには、ポイント使用履歴ＩＤを主キーとして、ユーザＩＤ、試験ＩＤ、使用点数、及び受験予定ＩＤを格納することを特徴とする請求項３記載の資格取得試験のポイント管理システム。
【請求項９】
前記ポイントの発行に際しては、発行するポイントを、前記試験情報データベースに登録されている事前に定められた各試験の点数に対する乗率により決定し、かつ受験する試験がポイントを発行する元となった試験または該試験と同じ資格認定機関若しくは試験作成機関の試験を受験する場合と、前記機関以外の試験を受験する場合とで、前記乗率を変化させることを特徴とする請求項３記載の資格取得試験のポイント管理システム。
【請求項１０】
前記ユーザ情報データベースの前記所属グループＩＤにはユーザが所属するユーザグループのＩＤを格納し、該所属グループＩＤの値でもってポイント交換先の他のユーザと同じグループか否かを判断することで、他のユーザとのポイントの交換を可能にすることを特徴とする請求項８記載の資格取得試験のポイント管理システム。
【発明の詳細な説明】
【技術分野】
【０００１】
本発明は資格取得試験のポイント管理システムに係り、特に、資格取得試験の点数によるポイントの発行と、該ポイントの使用を可能にすると共に、ユーザ間でのポイント交換ができるようにすることで、ユーザの受験を促進する資格取得試験のポイント管理システムに関する。
【背景技術】
【０００２】
従来、資格試験の受験者が、希望する資格を取得する際に、複数の資格試験機関に跨がって該資格試験を受験する場合には、前回の試験結果（実績）の引き継ぎの点で、必ずしも必要な利便が与えられているとは言えず、ユーザ（受験者）にとっては不便であった。
即ち、このような場合には、個々の資格試験機関の試験において、受験料等の割引が個々バラバラに行われていたり、試験の結果（点数）に関係なく割引制度が実施されているのみであり、ユーザのポイントの元となる該点数が、複数の資格試験機関に跨がって移行されて有効になる仕組みが設けられていなかった。
【０００３】
例えば、従来の制度では、実際に一度受験した試験と同じ試験を、同じ資格認定機関や試験作成機関において再び受験する場合においてのみ、受験料等を割り引する制度や、規定の回数受験した場合に次回を無料・割り引きにする制度や、過去に受験した試験が不合格だった場合に限り、同じ試験については次回を無料・割り引きにするといった制度が僅かに実施されていたに過ぎなかった。
この分野の関連技術としては、例えば、特許文献１には、商品・サービスの購入者であるユーザが、販促ポイント交換センタへデータを送信することにより、ポイント交換サービスが行われる旨の記載が見られる。
また、特許文献２には、教育業界用ポイントの利用管理についての記載が見られる。
また、特許文献３には、ポイント管理支援システムにおいて、ポイント単位の点数に交換する旨の記載が見られる。
さらに、特許文献４には、出題問題数の関連カードを用意し、攻撃側が問題を、守備側が回答を、それぞれ示すカードにより、判定（点数に相当）によるポイントを付与する旨の記載が見られる。
【先行技術文献】
【特許文献】
【０００４】
【特許文献１】国際公開第０４／１９２５２号公報
【特許文献２】特開２００２−２１５９号公報
【特許文献３】特開２００７−１９９７８５号公報
【特許文献４】特開２００８−２６６１９２７公報
【発明の概要】
【発明が解決しようとする課題】
【０００５】
ところで、上記背景技術で述べた従来の資格取得試験のポイント管理システムにあっては、前述のとおり、実際に一度受験した試験と同じ試験を、同じ資格認定機関や試験作成機関において再び受験する場合においてのみ、受験料等を割り引する制度や、規定の回数受験した場合に次回を無料・割り引きにする制度や、過去に受験した試験が不合格だった場合に限り、同じ試験については次回を無料・割り引きにするといった制度が僅かに実施されていたに過ぎなかったのであり、複数の資格認定機関や試験作成機関の試験を一括で提供する組織が介在していても、異なる試験や、異なる資格認定機関や、試験作成機関の試験を受験する際には、何ら割り引きにならないといった問題点や、受験者が合格した場合には既設の特典を受けることができないといった問題点が有った。
【０００６】
また、異なる資格認定機関や試験作成機関で実施される試験では、最高点（点数の範囲）が異なることから、点数をそのままポイントサービスのポイントにすることができず、よって、従来は、受験料に応じて、或いは受験回数に基づいてポイントを発行しており、試験の結果を基にポイントを発行されることがなく、よって、異なる資格認定機関や試験作成機関の間でのポイントの一元的な利用ができなかった。また、ユーザが貯めたポイントを他のユーザに提供する仕組みが無かった。
このような事情から、受験者のモチベーション面を考えると、点数が直ポイントに反映していないことから、受験のモチベーションが上がらず、再受験や他試験への受験を促進することからも問題点が有った。
【０００７】
なお、例えば、特許文献１〜３に見られる方法では、ポイント管理の基に、商品の基準価格を使用しているのに対し、本発明は、受験した試験の結果点数をポイント管理の基としている。さらに、本発明では、ユーザグループ内でポイント管理の基となる点数と受験試験情報とを交換し、ポイントを使用できるようにしている点が、単なるポイントのユーザ間の交換などとは異なっている。
【０００８】
本発明は、
（１）  試験機関が実施する試験による受験者のポイント管理システムであって、
（２）  試験結果の点数に基づいてポイントを発行し、ユーザは試験申込時にポイントによる受験料の割引を受け、
（３）  該ポイントは、次回の試験の同試験時・他試験時、他の機関の試験時に応じて決められる乗率と試験結果の積により決定する、
ことを骨子としている。
（４）  ユーザポイント使用可能な持ちポイントを確認したり、同じグループや他のユーザ先にポイントの移行を行うことを可能とし、これにより、試験の点数を基に発行されるポイントにより、受験料の割引や、ユーザ同士でポイント交換が行えるようにして、受験の促進を図ること、
ことを骨子としている。
【０００９】
本発明は、上記従来の問題点に鑑みてなされたものであって、資格取得試験の点数によるポイントの発行と、該ポイントの使用を可能にすると共に、ユーザ間でのポイント交換ができるようにして、受験の促進を図ることができる資格取得試験のポイント管理システムを提供することを目的としている。
【課題を解決するための手段】
【００１０】
上記課題を解決するために、本発明に係る資格取得試験のポイント管理システムは、試験の実施と試験の作成管理とを担う試験実施システムと、ユーザ情報、試験結果情報、及びポイント使用履歴を管理するポイント・受験管理システムと、前記試験実施システムと通信網を介して通信可能に接続される受験者用端末装置と、前記試験実施システム及び前記ポイント・受験管理システムと前記通信網を介して通信可能に接続される管理者用端末装置と、前記ポイント・受験管理システムと前記通信網を介して通信可能に接続されるユーザ用端末装置と、を備えたことを特徴とする。
【発明の効果】
【００１１】
以上説明したように、本発明の資格取得試験のポイント管理システムによれば、試験の点数を元にポイントを発行し、次回の受験料の割引に使用することができるので、受験者のモチベーションの向上や、再受験や他試験への受験を促進することができると共に、ポイント管理の際にポイントと試験の種類について倍率を試験毎に定めることで点数の範囲（最大点・最小点）が異なる試験でも同じポイントの運用が可能となり、さらに、ユーザ同士でポイントに変換可能な点数情報を交換できることから、ユーザ同士でポイント交換を行うことが可能となり、同じ試験については、その受験率を向上させることに役立つ効果が有る。
【図面の簡単な説明】
【００１２】
【図１】本発明の実施形態に係る資格取得試験のポイント管理システムのシステム構成を示す構成図である。
【図２】本発明の実施形態に係る資格取得試験のポイント管理システムの詳細構成を示す構成図である。
【図３】本発明の実施形態に係る資格取得試験のポイント管理システムの試験グループ情報のデータ構成を示す説明図である。
【図４】試験申し込みログインの操作画面を示す説明図である。
【図５】アカウント画面の操作画面を示す説明図である。
【図６】入力された管理者情報のアカウント登録情報出力画面を示す説明図であり、図６（ａ）はユーザがユーザグループに所属する場合のアカウント登録情報出力画面を示し、図６（ｂ）はユーザがユーザグループに所属しない場合のアカウント登録情報出力画面を示す。
【図７】入力された管理者情報のアカウント変更情報出力画面を示す説明図である。
【図８】入力されたユーザ情報のアカウント登録情報出力画面を示す説明図であり、図８（ａ）はユーザがユーザグループに所属する場合のアカウント登録情報出力画面を示し、図８（ｂ）はユーザがユーザグループに所属しない場合のアカウント登録情報出力画面を示す。
【図９】ユーザグループ登録時の操作画面を示す説明図である。
【図１０】ユーザグループを管理する際の管理者用の操作画面を示す説明図である。
【図１１】ユーザグループを管理する際のユーザ用の操作画面を示す説明図である。
【図１２】ユーザグループを管理する際の入力用操作画面を示す説明図である
【図１３】試験作成の際のログイン用操作画面を示す説明図である。
【図１４】試験管理者用の操作画面を示す説明図である。
【図１５】試験グループを管理する際の管理者用の操作画面を示す説明図である。
【図１６】試験グループ情報の出力画面を示す説明図である。
【図１７】試験情報を管理する際の管理者用操作画面を示す説明図である。
【図１８】問題・選択肢情報を管理する際の管理者用操作画面を示す説明図である。
【図１９】試験選択・申し込みの際のユーザ用操作画面を示す説明図である。
【図２０】試験を受験する際のユーザ用操作画面を示す説明図である。
【図２１】ユーザポイントを管理する際のユーザ用操作画面を示す説明図である。
【図２２】管理者情報の登録・変更・削除処理の場合の動作手順を示すフローチャート図である。
【図２３】ユーザ情報の登録・変更・削除処理の場合の動作手順を示すフローチャート図である。
【図２４】ユーザグループ情報の登録・変更・削除処理の場合の動作手順を示すフローチャート図である。
【図２５】試験グループ情報の登録・変更・削除処理の場合の動作手順を示すフローチャート図である。
【図２６】試験情報の登録・変更・削除処理の場合の動作手順を示すフローチャート図である。
【図２７】問題・選択肢情報の登録・変更・削除処理の場合の動作手順を示すフローチャート図である。
【図２８】受験の申し込み・キャンセル処理の場合の動作手順を示すフローチャート図である。
【図２９】試験の受験処理の場合の動作手順を示すフローチャート図である。
【図３０】ポイントの管理処理（即ち、ポイントの確認とポイント変換用の点数情報の移行処理）の場合の動作手順を示すフローチャート図である。
【発明を実施するための形態】
【００１３】
本発明では、受験した回数や受験料によってポイントを発行するのではなく、受験した試験の結果の点数に対してポイントを発行する。また、該ポイントは次回の受験する試験に対して定めた乗率を点数に掛け合わせて算出する。また、該ポイントは、受験した試験とは異なる試験を実施する資格認定機関や試験作成機関の試験を受験する際にも使用できるようにする。さらに、ユーザはグループ単位に纏め、同じグループに所属するユーザ間ではポイントの移行を可能にする。
【００１４】
以下、本発明の資格取得試験におけるポイント管理システムの実施形態について、図面を参照して詳細に説明する。
図１は、本発明の実施形態に係る資格取得試験のポイント管理システムのシステム構成を示す構成図である。
図１において、本実施形態の資格取得試験のポイント管理システムは、試験の実施と試験の作成管理とを担う試験実施システム１００と、ユーザ情報や試験結果情報やポイント使用履歴を管理するポイント・受験管理システム２００と、試験実施用の受験端末３１０（端末装置）と、試験検索や申し込みを行うユーザ端末３２０（端末装置）と、試験を管理するために使用する管理端末３３０（端末装置）と、ユーザ４１０と管理者４２０との間を仲介するインターネット／組織内ネットワーク等９００と、を備える。
少なくともユーザ端末３２０及び受験端末３１０については複数の設置が可能である。
【００１５】
図２は、本発明の実施形態に係る資格取得試験のポイント管理システムの詳細構成を示す構成図である。
図２に示す試験実施システム１００は、試験グループ情報１１１（データベース）と、試験情報１１２（データベース）と、問題情報１１３（データベース）と、選択肢情報１１４（データベース）と、受験予定情報１１５（データベース）と、試験管理モジュール１２０と、試験実施モジュール１３０と、を備える。
また、図２に示すポイント・受験管理システム２００は、ユーザ情報２１１（データベース）と、ユーザグループ情報２１２（データベース）と、試験結果情報２１３（データベース）と、ポイント使用履歴２１４（データベース）と、ユーザ登録モジュール２２０と、試験申し込みモジュール２３０と、を備える。
【００１６】
以下、本実施形態の資格取得試験のポイント管理システムが有する機能の概要を説明する。
本実施形態の資格取得試験のポイント管理システムは、図２に示す試験実施システム１００及びポイント・受験管理システム２００において、複数の資格認定機関や試験作成機関の試験用問題（以下、単に「試験」と略称する）を一括で提供する組織がユーザ４１０（受験者）が受験した試験の結果の点数を試験結果情報２１３に格納しておき、該ユーザの次回の受験時には、試験結果情報２１３の情報と試験情報１１２の情報とに基づいてポイントを発行し、他の資格認定機関や試験作成機関の試験であっても、このポイントを受験料の一部として使用できるようにする。
ここで、発行されるポイントは、試験情報１１２に登録されている事前に定められた各試験の点数に対する乗率により決定され、受験する試験がポイントを発行する元となった試験やその試験と同じ資格認定機関や試験作成機関の試験を受験する場合と、それ以外の試験を受験する場合とで乗率を変化させることができるようにしている。
【００１７】
また、ポイントによって割引される受験料の負担額は資格認定機関や試験作成機関と試験を提供する組織によって事前に定められた割合で負担されるものとする。
さらに、ユーザ４１０に対して発行されたポイントは、ユーザ情報２１１の情報に基づき、該ユーザ４１０と同じグループに属する他のユーザ４１０にも提供することを可能にする。これにより、受験者の再受験や他試験への受験を促進して、受験回数の増大を図ることや、特定の試験提供組織を利用させるようにユーザを囲い込むことを可能にする。
【００１８】
以下、本実施形態の資格取得試験のポイント管理システムが有する機能の詳細を説明する。
試験実施システム１００の試験管理モジュール１２０は、インターネット／組織内ネットワーク等９００を介して、管理者４２０が試験を管理するために使用する管理端末３３０からのアクセスに応じるモジュールである。その機能は、試験グループ、試験、試験問題、及び選択肢の、登録・変更・削除を行うものであるが、前記の各データベース（以下、単に「ＤＢ」と略称する）とは後述するようにデータのやり取りをする。試験登録・変更の際には、この登録・変更される試験は必ずいずれかの試験グループに所属するものとする。
【００１９】
また、試験管理モジュール１２０は、試験登録・変更画面を管理者４２０に提供すると共に、試験登録・変更の際には試験者を試験グループへ参加させる仕事を実施する。この試験グループは、既登録の試験者については試験グループ情報１１１（ＤＢ）に格納されているので、そこからの読み込みを行う。既登録の試験者が存在しない場合は、試験管理モジュール１２０が試験グループ作成画面を管理者４２０に提供する。試験登録・変更・削除処理に際しては、試験グループや試験の出題数や合格点、ポイントの発行乗率などを試験情報１１２に対して、読み込み・書き込み動作をする。また、その試験情報に基づき出題する問題の作成・変更・削除は問題情報１１３に対しての読み込み・書き込み・削除の動作をする。また、その問題の選択肢を作成・変更・削除し、選択肢情報１１４に対して読み込み・書き込む動作をする。さらに、試験管理モジュール１２０は、試験グループの管理画面を提供することで、試験グループの削除も可能である。
【００２０】
試験実施モジュール１３０は、ユーザ４１０が、受験を行うための受験端末３１０と、インターネット／組織内ネットワーク等９００とを介して行うアクセスに応じることができるモジュールである。その機能は、ユーザ４１０に対する試験の実施を管理し、試験画面の提供、問題抽出、試験終了後の試験結果の書き込みなどを行うことであり、前述の各情報を格納するＤＢ（データベース）とは以下に示すようにデータのやり取りを行う。
即ち、試験実施モジュール１３０は、受験端末３１０を介してアクセスしてきたユーザ４１０の受験情報を受験予定情報１１５から読み込み、対象の試験を、試験情報１１２、問題情報１１３、及び選択肢情報１１４から生成し、試験実施画面に表示させる。実施後は選択肢情報１１４の回答情報と問題情報１１３とに基づいて点数計算を行い、その結果を試験結果情報２１３に格納する。
【００２１】
ユーザ登録モジュール２２０は、試験申し込み時に入力されるユーザ情報を、試験申し込みモジュール２３０から受け取り、ユーザ情報２１１に登録する。また、変更や削除の処理も試験申し込みモジュール２３０と連携して行っている。ユーザ登録モジュール２２０に登録されるユーザは、ユーザグループに所属することも可能であり、その場合は、ユーザグループ情報を試験申し込みモジュール２３０から受け取り、ユーザグループ情報２１２へ書き込む。さらに、ユーザ登録モジュール２２０は、ユーザグループ情報の変更・削除の処理も試験申し込みモジュール２３０と連携して行う。
【００２２】
試験申し込みモジュール２３０は、管理者４２０がユーザ登録、ユーザグループ登録を行うために管理端末３３０と、インターネット／組織内ネットワーク等９００とを介して行うアクセスに応じることができるモジュールであり、また、ユーザ４１０が、ユーザ登録、ユーザグループ登録、受験の申し込み、ポイントの管理を行うためにユーザ端末３２０と、インターネット／組織内ネットワーク等９００とを介して行うアクセスに応じるモジュールである。即ち、試験申し込みモジュール２３０は、ユーザ登録モジュール２２０と連携し、ユーザ４１０及び管理者４２０に対してユーザ登録・変更・削除画面を提供する。また、試験申し込みモジュール２３０は、ユーザグループの情報提供や、ユーザグループ自体の登録・変更・削除画面を提供する。管理者４２０およびユーザ４１０によって入力された情報はユーザ登録モジュール２２０へ提供する。
【００２３】
また、試験申し込みモジュール２３０は、受験の予定登録・キャンセル処理を、ユーザ情報２１１、試験情報１１２、及び受験予定情報１１５と、データをやり取りして行う。さらに、試験申し込みモジュール２３０は、受験の申し込み時のポイント使用や、ポイントのユーザ間での移動といったポイント管理も行うものであり、このポイント管理は、試験結果情報２１３、試験情報１１２、ポイント使用履歴情報２１４、及び受験予定情報１１５と、データをやり取りして行う。なお、この場合、受験申し込み画面やポイント管理画面も提供している。
受験端末３１０は、試験提供組織が試験を実施するために設置する端末装置であり、この端末装置は、ユーザ４１０が使用する。この受験端末３１０は、試験提供組織が定めた場所に設置され、主に試験会場に設置される情報処理端末装置として機能する。これらの端末装置は、インターネット／組織内ネットワーク等９００を介して試験実施モジュール１３０と通信可能に接続され得る。
【００２４】
試験実施モジュール１３０は、より具体的には、受験端末３１０にログイン画面を提供し、ユーザ情報２１１及び受験予定情報１１５によってユーザ認証と受験科目の確認を行う。この認証後は受験予定の試験情報を画面に表示するので、これにより、ユーザは、試験情報１１２、問題情報１１３、及び選択肢情報１１４から構成された試験問題を、受験端末３１０を介して受験する。
ユーザ端末３２０は、ユーザ情報管理、ユーザグループ情報管理、試験申し込み、試験結果参照、ポイント参照、及びポイント移行などの試験管理と、ポイント管理とを行うための端末装置であり、ユーザ４１０によって使用される。このユーザ端末３２０は、試験申し込みモジュール２３０にアクセスできる情報端末装置であり、主にユーザ所有やユーザに使用権のある情報処理端末装置として機能し、インターネット／組織内ネットワーク等９００を介して試験申し込みモジュール２３０に接続される。
【００２５】
試験申し込みモジュール２３０は、より具体的には、ユーザ端末３２０にログイン画面を提供し、ユーザ情報２１１によってユーザ認証を行う。また、新規ユーザにはユーザ登録画面を提供し、登録されたユーザ情報は試験申し込みモジュール２３０からユーザ登録モジュール２２０に提供されてユーザ情報２１１に書き込まれる。このユーザ認証後は、試験情報１１２より試験一覧を提供し、ユーザ４１０に申し込み手段を提供したり、試験結果情報２１３から試験結果を提供する。ユーザ４１０からの申し込みが行われた場合は、その申し込み情報を受験予定情報１１５に格納する。
【００２６】
また、試験申し込みモジュール２３０は、ユーザ情報２１１、試験情報１１２、試験結果情報２１３、ポイント使用履歴情報２１４、及び受験予定情報１１５により、試験申し込み時の使用可能ポイントの計算およびユーザ４１０への通知や、ユーザ４１０のポイント確認手段の提供や、ユーザ間ポイント移行の為の試験の点数移行、及び該点数移行に必要な計算を行う。また、試験情報１１２、受験予定情報１１５、及びユーザ情報２１１を参照して、試験のキャンセルの処理を行う。また、ユーザグループ情報の管理画面も提供し、ユーザグループの管理としてユーザグループ情報２１２への書き込み等も行っている。  
【００２７】
管理端末３３０は、試験提供組織が、試験情報登録、管理者登録、及びユーザグループ情報管理のために設置する端末装置であり、管理者４２０によって使用される。この管理端末３３０は、試験提供組織が定めた場所に設置され、主として、試験提供組織の事務所、試験提供組織を利用している複数の資格認定機関、及び試験作成機関の事務所などに設置され、専用端末として機能する報処理端末である。これらの端末装置は、インターネット／組織内ネットワーク等９００を介して試験管理モジュール１２０や試験申し込みモジュール２３０に接続され得る。
【００２８】
試験管理モジュール１２０は、より具体的には、管理端末３３０にログイン画面を提供し、ユーザ情報２１１によってユーザ認証を行う。このとき、ユーザ情報２１１内の管理者フラグのチェックを行い、管理者に限りアクセスを許可する。この認証後は、試験グループ１１１と試験情報１１２とを参照して、管理者が変更・削除可能な情報、及び新規に試験を作成するための画面を提供する。また、問題及び選択肢の作成、変更、削除として、試験情報１１２、問題情報１１３、及び選択肢情報１１４を参照して、問題とその選択肢の作成、変更、削除の機能、及び該機能の実現に必要な画面を提供する。
【００２９】
試験申し込みモジュール２３０は、より詳細な処理として、管理端末３３０にログイン画面を提供し、ユーザ情報２１１によってユーザ認証を行う。このとき、ユーザ情報２１１内の管理者フラグのチェックを行い、管理者用画面も提供する。また、新規管理者にはユーザ登録画面を提供し、該ユーザ登録画面を介して管理者として登録された新規の管理者情報は、試験申し込みモジュール２３０でパスワード認証を経てユーザ登録モジュール２２０に提供され、管理者ユーザフラグと共にユーザ情報２１１に書き込まれる。また、試験申し込みモジュール２３０は、ユーザグループ情報の管理画面も提供し、ユーザグループを管理する仕事としてユーザグループ情報２１２への書き込み等も行う。
【００３０】
図３は、本発明の実施形態に係る資格取得試験のポイント管理システムの試験グループ情報のデータ構成を示す説明図である。
同図に示すように、試験グループ情報１１１には、試験グループＩＤ１１１Ａを主キーにして、グループ名１１１Ｂ、登録用パスワード１１１Ｃ、管理者ＩＤ１１１Ｄ、管理用パスワード１１１Ｅ、及び試験機関名１１１Ｆが格納されている。試験グループＩＤ１１１Ａは試験グループ作成時に自動的に発行される。グループ名１１１Ｂは試験グループの名称で試験グループ情報作成の際に設定する。登録用パスワード１１１Ｃは試験を試験グループに所属させるときの認証に使用され、試験グループ情報作成の際に設定する。管理者ＩＤ１１Ｄは当該試験グループの管理者として設定され、試験グループ情報作成の際に作成したユーザのユーザＩＤ２１１Ａが設定される。管理用パスワード１１１Ｅは試験グループの変更・削除などの管理の際の認証用パスワードとして使用される。試験機関名１１１Ｆは試験情報の表示の際や試験情報の検索などで使用される。これらの情報は試験グループＩＤ１１１Ａを除き、変更可能である。
【００３１】
試験情報１１２には試験ＩＤ１１２Ａを主キーにして、試験名１１２Ｂ、出題数１１２Ｃ、最大点数１１２Ｄ、最小点数１１２Ｅ、合格点１１２Ｆ、試験グループＩＤ１１２Ｇ、受験料金１１２Ｈ、同試験ポイント乗率１１２Ｉ、グループ試験ポイント乗率１１２Ｊ、他試験ポイント乗率１１２Ｋ、ポイント管理割合１１２Ｌ、管理者ＩＤ１１２Ｍ、登録用パスワード１１２Ｎ、及び管理用パスワード１１２Ｏが格納されている。
試験ＩＤ１１２Ａは試験作成時に自動的に発行される。試験名１１２Ｂは試験の名称を格納しており、ユーザ用の試験予定、履歴画面や、試験申し込み画面、試験実施画面で表示される。出題数１１２Ｃは試験の出題数を格納しており、格納されている数だけ試験内に問題が出題される。当該試験の問題の数は出題数に格納されている数以上が問題情報１１３に格納されており、出題数１１２Ｃよりも問題情報１１３に格納されている当該試験の問題数の方が多い場合は試験実施モジュール１３０によってランダムに出題数１１２Ｃの数だけ出題される。同数の場合は問題情報１１３に格納されている当該試験の全問題が出題される。
【００３２】
最大点数１１２Ｄは試験の最高点を格納している。最小点数１１２Ｅは試験の最低点を格納している。合格点１１２Ｆは試験の合格点を格納しており、試験終了時に合格か不合格かを判断する値となる。合格点１１２Ｆは最大点数１１２Ｄ以下かつ最小点数１１２Ｅ以上でなければならない。
試験グループＩＤ１１２Ｇは試験の所属している試験グループの試験グループＩＤ１１１Ａの値が格納されている。これにより他試験と同グループか否かを判断する。受験料金１１２Ｈは試験の受験料を格納している。同試験ポイント乗率１１２Ｉは申し込み試験の支払いに関して、ポイントを使用する場合、その試験とポイントを使用する受験済みの試験が同試験の場合に、受験済みの試験の点数にポイントを発行するために掛ける数値である。
【００３３】
グループ試験ポイント乗率１１２Ｊは申し込み試験の支払いに関して、ポイントを使用する場合、その試験とポイントを使用する受験済みの試験が同じ試験グループの試験の場合に、受験済みの試験の点数にポイントを発行するために掛ける数値（乗数）である。
他試験ポイント乗率１１２Ｋは申し込み試験の支払いに関してポイントを使用する場合、その試験とポイントを使用する受験済みの試験が異なる試験の場合に、受験済みの試験の点数にポイントを発行するために掛ける数値（乗数）である。同試験ポイント乗率１１２Ｉ、グループ試験ポイント乗率１１２Ｊ、及び他試験ポイント乗率１１２Ｋに格納される数値は０以上である。ポイント管理割合１１２Ｌは発行するポイントを資格認定機関や試験作成機関が負担する割合を示したものである。格納された値が１００の場合、資格認定機関や試験作成機関がポイントとして使用された金額の１００％を負担することを示しており、また、格納された値が０の場合は０％負担することを示している。ポイント管理割合１１２Ｌとして格納される数値は０〜１００である。
【００３４】
管理者ＩＤ１１２Ｍには試験を管理する管理者４２０が試験情報作成の際に作成したユーザ情報２１１のユーザＩＤ２１１Ａが設定される。登録用パスワード１１２Ｎは、問題を試験に所属させる（含める）際の認証に使用され、試験情報作成の際に設定する。管理用パスワード１１２O は試験の変更・削除処理などの管理の際の認証用パスワードとして使用される。
これらの情報は試験ＩＤ１１２Ａを除き、変更可能である。
問題情報１１３には問題ＩＤ１１３Ａを主キーにして、試験ＩＤ１１３Ｂ、問題文１１３Ｃ、点数１１３Ｄ、管理者ＩＤ１１３Ｅ、及び管理用パスワード１１３Ｆが格納されている。問題ＩＤ１１３Ａは問題作成時に自動的に発行される。試験ＩＤ１１３Ｂは問題が所属する試験ＩＤが設定されており、試験情報１１２の試験ＩＤ１１２Ａが格納される。問題文１１３Ｃには問題画面に表示される問題文が格納されている。点数１１３Ｄは試験内でその問題が正解だった場合に何点獲得できるかという点数値を格納している。管理者ＩＤ１１３Ｅは問題を管理する管理者４２０が問題情報作成の際に作成したユーザ情報２１１のユーザＩＤ２１１Ａが設定される。管理用パスワード１１３Ｆは問題の変更・削除処理などの管理の際の認証用パスワードとして使用される。これらの情報は問題ＩＤ１１３Ａを除き、変更可能である。
【００３５】
選択肢情報１１４には、選択肢ＩＤ１１４Ａを主キーにして、問題ＩＤ１１４Ｂ、選択肢文１１４Ｃ、及び正解フラグ１１４Ｄが格納されている。選択肢ＩＤ１１４Ａは、その選択肢が所属する問題が作成された時に自動的に発行される。問題ＩＤ１１４Ｂは、選択肢が所属する問題が自動的に設定され、問題情報１１３の問題ＩＤ１１３Ａが格納される。選択肢文１１４Ｃは選択肢が所属する問題が出題された場合に、その問題の選択肢として表示される文章が格納されている。正解フラグ１１４Ｄはその選択肢が正解の選択肢の場合"１"が不正解の場合は"０"が格納される。これらの選択肢情報は、問題ＩＤ１１４Ｂと同じ値の問題ＩＤ１１３Ａを有する問題を変更・削除する際に同画面で実行できる。
【００３６】
受験予定情報１１５には受験予定ＩＤ１１５Ａを主キーにして、ユーザＩＤ１１５Ｂ、試験ＩＤ１１５Ｃ、及び受験日時１１５Ｄが格納されている。受験予定ＩＤ１１５Ａは受験申し込み時に自動的に発行される。ユーザＩＤ１１５Ｂには受験予定のユーザの、ユーザ情報２１１のユーザＩＤ２１１Ａを格納されている、試験ＩＤ１１５Ｃにはユーザが受験する試験の情報として試験情報１１２の試験ＩＤ１１２Ａが格納されている。受験日時１１５Ｄには受験予定日時が格納されている。これらの受験予定情報はユーザＩＤ１１５Ｂに格納されているユーザＩＤ２１１Ａを有するユーザが変更できる。
【００３７】
ユーザ情報２１１には、ユーザＩＤ２１１Ａを主キーにして、氏名２１１Ｂ、生年月日２１１Ｃ、パスワード２１１Ｄ、メールアドレス２１１Ｅ、住所２１１Ｆ、電話番号２１１Ｇ、所属グループＩＤ２１１Ｈ、及び管理者フラグ２１１Ｉのユーザ情報が格納されている。ユーザＩＤ２１１Ａは管理者・ユーザの登録時に自動的に発行される。ユーザＩＤ２１１Ａとパスワード２１１Ｂはログイン認証のセキュリティ確保のために使用される。また、メールアドレス２１１Ｅはユーザ登録や受験申し込み完了のメールを送信するための情報である。氏名２１１Ｂや生年月日２１１Ｃ、住所２１１Ｆ、電話番号２１１Ｇは資格認定の際の情報として使用される。
【００３８】
所属グループＩＤ２１１Ｈにはユーザが所属するユーザグループのＩＤが格納されており、所属グループＩＤの値で他のユーザと同じグループか否かを判断し、ポイントの交換が可能になる。所属グループＩＤ２１１Ｈはユーザグループ情報２１２のユーザグループＩＤ２１２Ａの値であり、ユーザグループに所属していない場合は空である。管理者フラグ２１１Ｉはユーザが管理者であるか否かを示すものであり、登録時にユーザが管理者として登録されているか否かに応じて、ユーザが管理者の場合はデータ"１"が格納され、また、ユーザが管理者でない場合はデータ"０"が格納される。このユーザ情報はユーザ本人に限って変更、削除が可能である。これらの情報はユーザＩＤ２１１Ａ及び管理者フラグ２１１Ｉを除き、変更可能である。
【００３９】
ユーザグループ情報２１２には、ユーザグループＩＤ２１２Ａを主キーにして、ユーザグループ名２１２Ｂ、登録用パスワード２１２Ｃ、代表ユーザＩＤ２１２Ｄ、及び管理用パスワード２１２Ｅが格納されている。ユーザグループＩＤ２１２Ａはユーザグループ作成時に自動的に発行される。ユーザグループ名２１２B はそのユーザグループの名称である。登録用パスワード２１２C はユーザがグループに所属しようとするときに入力を求め、認証用に使用される。認証されたときだけユーザはユーザグループに所属できる。代表ユーザＩＤ２１２Ｄは当該ユーザグループの代表者として設定され、ユーザグループ情報作成の際に作成したユーザのユーザＩＤ２１１Ａが設定される。管理用パスワード２１２Ｅはユーザグループの変更・削除などの管理の際の認証用パスワードとして使用される。これらの情報はユーザグループＩＤ２１２Ａを除き、変更可能である。
【００４０】
試験結果情報２１３には、試験結果ＩＤ２１３Ａを主キーにして、受験予定ＩＤ２１３Ｂ、点数２１３Ｃ、及び合否フラグ２１３Ｄが格納されている。試験結果ＩＤ２１３Ａは試験結果書き込み時に自動的に発行される。受験予定ＩＤ２１３には対象の受験予定情報として受験予定情報１１５の受験予定ＩＤ１１５Ａが格納される。点数２１３Ｃには対象の試験の点数が格納される。合否フラグ２１４Ｄには当該試験結果が合格の場合は"１"が格納され、また、不合格の場合は"０"が格納される。
【００４１】
ポイント処理履歴情報２１４には、ポイント使用履歴ＩＤ２１４Ａを主キーとして、ユーザＩＤ２１４Ｂ、試験ＩＤ２１４Ｃ、使用点数２１４Ｄ、及び受験予定ＩＤ２１４Ｅが格納されている。ポイント使用履歴ＩＤ２１４Ａはポイント履歴の登録時に自動的に発行される。ユーザＩＤ２１４Ｂはポイントの処理対象ユーザの情報としてユーザ情報２１１のユーザＩＤ２１１Ａが格納される。試験ＩＤ２１４にはポイント管理やポイント移行時に使用された点数の元となった試験ＩＤが格納される。
【００４２】
使用点数２１４Ｄにはポイント管理やポイント移行時に使用された点数が格納される。ポイントの使用や移行には正の数がポイントの取得には負の数が格納される。ポイントの移行の場合は移行元のユーザのＩＤがユーザＩＤ２１４Ｂに格納され、また、ポイント移行のために移行した点数が使用点数２１４Ｄに格納され、さらに、その点数を取得した試験の試験ＩＤが２１４Ｃに格納される。さらに、移行先のユーザのＩＤがユーザＩＤ２１４Ｂに、ポイント移行のために移行した点数が負の数となり使用点数２１４Ｄに、その点数を取得した試験の試験ＩＤが２１４Ｃに、それぞれ格納される。なお、受験予定ＩＤ２１４ＴＥには対象のポイントが使用されるために発生した受験予定の受験予定ＩＤ１１５Ａが格納される。
但し、上記説明したデータ構成に関しては、リレーショナルデータベースを使用した場合、複数のデータテーブル構成に分割されることがある。また、前記の各データベースの情報はデータベース管理者が削除・変更することができる。
【００４３】
（動作の説明）
以下では、図１〜３０に示す画面イメージまたはフローチャートを参照して、本発明の実施形態に係る資格取得試験のポイント管理システムの動作について詳細に説明する。
本発明の実施形態に係る資格取得試験のポイント管理システムでは、先ず、管理者が管理端末３３０を用いて自身の管理者情報を登録することが必要である。
【００４４】
図２２は、管理者情報の登録・変更・削除処理の場合の動作手順を示すフローチャート図である。
先ず、図２２に示すフローチャートを参照して、管理者情報の登録・変更・削除処理の場合の動作を説明するが、上記の登録・変更・削除処理に使用される管理端末３３０の操作画面は、図４，５に示す画面であり、出力結果は図６，７で示されるので、以下では、図４，５に示す操作画面及び図６，７に示す出力結果についても併せて説明する。
図４は、試験申し込みログインの操作画面を示す説明図である。
図５は、アカウント画面の操作画面を示す説明図である。
図６は、入力された管理者情報のアカウント登録情報出力画面を示す説明図であり、図６（ａ）はユーザがユーザグループに所属する場合のアカウント登録情報出力画面を示し、図６（ｂ）はユーザがユーザグループに所属しない場合のアカウント登録情報出力画面を示す。
図７は、入力された管理者情報のアカウント変更情報出力画面を示す説明図である。
【００４５】
先ず、管理者４２０は、管理端末３３０より、インターネット／組織内ネットワーク等９００を介して試験申し込みモジュール２３０にアクセスすると、試験申し込みモジュール２３０がログイン画面（図４）を提供する（ステップQ-2）。
ここで、管理者情報の登録・変更・削除の場合はログイン画面（図４）に示す「ユーザ・登録・変更・削除はこちら」のボタンを押下してアカウント管理画面（図５）に移動する。
ステップQ-3での検証により、管理者情報を登録・変更する場合は、アカウント管理画面（図５）で、管理者情報である氏名（B-1）、パスワード（B-2）、生年月日（B-3）、メールアドレス（B-4）、住所（B-5）、電話番号（B-6）、及びグループに所属するかしないかのチェック（B-9）、グループに所属する場合は所属ユーザグループＩＤ（B-7）及びそのパスワード（B-8）、若しくは新規にユーザグループを作成するのか否かのチェック（B-10）の情報と、管理者人認証用パスワード（B-11）とを入力し、登録ボタン（B-13）を押す。これにより、アカウント管理画面（図５）で入力された情報は、試験申し込みモジュール２３０からユーザ管理モジュール２２０に送信され、まず管理者人認証用パスワード（B-11）の認証が行われる（ステップQ-4）。この管理者認証用パスワードは事前に管理者に対して試験提供組織から通知されている。管理者認証用パスワード（B-11）が認証に通過した場合、入力情報の所属ユーザグループＩＤ（B-7）情報以外の情報がユーザ登録モジュール２２０によりユーザ情報２１１に書き込まれる（ステップQ-5）。この場合、ユーザ情報２１１の管理者フラグ２１１Ｉには"１"が格納される。
【００４６】
なお、ユーザグループに所属しない場合はユーザ情報２１１の所属グループＩＤ２１１Ｈは空になる。また、既存のグループに参加する場合は、所属ユーザグループＩＤ（B-7）及びそのパスワード（B-8）と、ユーザグループ情報２１２のユーザグループＩＤ２１２Ａと登録用パスワード２１２Ｃが、それぞれ一致した場合にユーザ登録モジュール２２０によりユーザ情報２１１の所属グループＩＤ２１１Ｈに所属グループＩＤが格納される（ステップQ-8）。
また、新規にユーザグループを作成する場合はグループ作成を実行し、その情報がユーザグループ情報２１２に格納され（ステップQ-7）、管理者はユーザグループに参加する。これらの情報はユーザ登録モジュール２２０によりユーザ情報２１１の所属グループＩＤ２１１Ｈに所属グループＩＤが格納される（ステップQ-8）。これら、どのユーザグループに所属するか、またはユーザグループには参加しないかしないかの情報や、ユーザ登録モジュール２２０が自動的に発行したユーザＩＤ２１１Ａなどの登録情報を画面（図６）に表示し（ステップQ-9）、アカウント処理を終了する。
【００４７】
また、ステップQ-3での検証により、管理者情報を削除する場合、アカウント管理画面（図５）で、削除する管理者のユーザＩＤ（B-12）とパスワード（B-2 ）とを入力して、削除ボタン（B-15）を押す（ステップQ-10）。入力されたユーザＩＤ（B-12）及びパスワード（B-2）と、ユーザ情報２１１のユーザＩＤ２１１Ａ及びパスワード２１１Ｄが、それぞれ一致した場合、ユーザ登録モジュール２２０によりユーザ情報２１１から対象の管理者の情報を削除し（ステップQ-11）、削除を完了した旨の表示を行い（ステップQ-12）、アカウント管理処理を終了する。
【００４８】
なお、管理者情報を変更する場合は、アカウント管理画面（図５）で変更する管理者のユーザＩＤ（B-12）とパスワード（B-2）（いずれも必須項目）を入力する（ステップQ-4）。また変更項目として、氏名（B-1）、生年月日（B-3）、メールアドレス（B-4）、住所（B-5）、及び電話番号（B-6）や、グループに所属するかしないかのチェック（B-9）、グループに所属する場合は所属ユーザグループＩＤ（B-7）及びそのパスワード（B-8）、若しくは新規にユーザグループを作成するか否かのチェック（B-10）を入力し（ステップQ-4）、変更ボタン（B-14）を押す（ステップQ-5）。入力されたユーザＩＤ（B-12）及びパスワード（B-2）と、ユーザ情報２１１のユーザＩＤ２１１Ａ及びパスワード２１１Ｄが、それぞれ一致した場合には、ユーザ登録モジュール２２０により、対象の変更項目を、ユーザ情報２１１でもって変更する。また、グループ情報の変更等も管理者登録時と同様に行う。これら変更された項目は、変更処理後に変更情報が画面（図７）に表示される（ステップQ-9）。ユーザから管理者への変更はできない。
【００４９】
図２３は、ユーザ情報の登録・変更・削除処理の場合の動作手順を示すフローチャート図である。
次に、図２３に示すフローチャートを参照して、ユーザ情報の登録・変更・削除処理の場合の動作を説明するが、上記の登録・変更・削除処理に使用されるユーザ端末３２０の操作画面は、図４，５に示す画面であり、出力結果は図７，８で示されるので、以下では、この場合の図４，５に示す操作画面及び図７，８に示す出力結果についても併せて説明する。
図８は、入力されたユーザ情報のアカウント登録情報出力画面を示す説明図であり、図８（ａ）はユーザがユーザグループに所属する場合のアカウント登録情報出力画面を示し、図８（ｂ）はユーザがユーザグループに所属しない場合のアカウント登録情報出力画面を示す。
【００５０】
先ず、ユーザ４１０は、ユーザ端末３２０より、インターネット／組織内ネットワーク等９００を介して試験申し込みモジュール２３０にアクセスする。これにより、試験申し込みモジュール２３０がログイン画面（図４）を提供する（ステップR-2）。
ここで、管理者情報の登録・変更・削除の場合はログイン画面（図４）に示す「ユーザ・登録・変更・削除はこちら」のボタンを押下してアカウント管理画面（図５）に移動する。
ステップR-3での検証により、ユーザ情報を登録・変更する場合は、アカウント管理画面（図５）では、ユーザ情報である氏名（B-1）、パスワード（B-2）、生年月日（B-3）、メールアドレス（B-4）、住所（B-5）、及び電話番号（B-6）や、グループに所属するか否かのチェック（B-9）、グループに所属する場合は所属ユーザグループＩＤ（B-7）及びそのパスワード（B-8 ）、若しくは新規にユーザグループを作成するか否かのチェック（B-10）を入力し（ステップR-4）、登録ボタン（B-13）を押す（ステップR-5）。
【００５１】
これにより、入力された情報は、試験申し込みモジュール２３０からユーザ管理モジュール２２０に送信され、入力情報の所属ユーザグループＩＤ（B-7）以外の情報がユーザ登録モジュール２２０により、ユーザ情報２１１に書き込まれる。この場合、ユーザ情報２１１の管理者フラグ２１１Iには"０"が格納される。また、ユーザグループに所属しない場合はユーザ情報２１１の所属グループＩＤ２１１Ｈは空白になる。
また、既存のグループに参加する場合は、所属ユーザグループＩＤ（B-7 ）及びそのパスワード（B-8）と、ユーザグループ情報２１２のユーザグループＩＤ２１２Ａと登録用パスワード２１２Ｃが、それぞれ一致した場合にユーザ登録モジュール２２０により、ユーザ情報２１１の所属グループＩＤ２１１Ｈに所属グループＩＤが格納される（ステップR-8）。
【００５２】
また、新規にユーザグループを作成する場合は、グループ作成を実行し、その情報がユーザグループ情報２１２に格納され（ステップR-7）、管理者はユーザグループに参加することになる。これらの情報はユーザ登録モジュール２２０によりユーザ情報２１１の所属グループＩＤ２１１Ｈに所属グループＩＤが格納される（ステップR-8）。これら、どのユーザグループに所属するか、またはユーザグループに参加するかしないかの情報や、ユーザ登録モジュール２２０が自動的に発行したユーザＩＤ２１１Ａなどの登録情報を画面（図８）に表示し（ステップR-9）、アカウント管理処理を終了する。
また、ステップR-3 での検証により、ユーザ情報を削除する場合は、アカウント管理画面（図５）で削除するユーザのユーザＩＤ（B-12）とパスワード（B-2）を入力し、削除ボタン（B-15）を押す（ステップR-10）。入力されたユーザＩＤ（B-12）及びパスワード（B-2）と、ユーザ情報２１１のユーザＩＤ２１１Ａ及びパスワード２１１Ｄが、それぞれ一致した場合、ユーザ登録モジュール２２０により、ユーザ情報２１１から対象のユーザの情報を削除し（ステップR-11）、削除を完了した旨の表示を行い（ステップR-12）、アカウント管理処理を終了する。
【００５３】
また、ステップR-3での検証により、ユーザ情報を変更する場合は、アカウント管理画面（図５）で変更するユーザのユーザＩＤ（B-12）とパスワード（B-2）とを必須で入力する（ステップR-4）。また、変更項目として、氏名（B-1）、生年月日（B-3）、メールアドレス（B-4）、住所（B-5）、及び電話番号（B-6）や、グループに所属するかしないかのチェック（B-9）、グループに所属する場合は所属ユーザグループＩＤ（B-7）及びそのパスワード（B-8）、または新規にユーザグループを作成するのか否かのチェック（B-10）を入力し（ステップR-4）、変更ボタン（B-15）を押す（ステップR-5）。入力されたユーザＩＤ（B-12）及びパスワード（B-2）と、ユーザ情報２１１のユーザＩＤ２１１Ａ及びパスワード２１１Ｄが、それぞれ一致した場合は、対象の変更項目を、ユーザ登録モジュール２２０により、ユーザ情報２１１で変更する。また、グループ情報の変更等もユーザ登録時と同じように行う。これら変更された項目は、変更処理後に変更情報が画面（図７）に表示される（ステップR-9）。ユーザから管理者への変更はできない。
【００５４】
図２４は、ユーザグループ情報の登録・変更・削除処理の場合の動作手順を示すフローチャート図である。
次に、図２４に示すフローチャートを参照して、ユーザグループ情報の登録・変更・削除処理の場合の動作を説明するが、上記の登録・変更・削除処理に使用されるユーザ端末３２０及び管理端末３３０の操作画面は、図４及び図９〜１２に示す画面であるので、以下では、この場合の図４及び図９〜１２に示す操作画面についても併せて説明する。
図９は、ユーザグループ登録時の操作画面を示す説明図である。
図１０は、ユーザグループを管理する際の管理者用の操作画面を示す説明図である。
図１１は、ユーザグループを管理する際のユーザ用の操作画面を示す説明図である。
図１２は、ユーザグループを管理する際の入力用操作画面を示す説明図である。
【００５５】
先ず、管理者４２０は管理端末３３０を使用し、ユーザ４１０はユーザ端末３２０を使用して、インターネット／組織内ネットワーク等９００を介して試験申し込みモジュール２３０にアクセスする。これに応答して、試験申し込みモジュール２３０は、ログイン画面（図４）を提供する（ステップS-2）。
ステップS-3 での検証により、ユーザグループを登録する場合は、図２２に示すフローチャートの処理（管理者情報の登録・変更・削除）において、ユーザグループの作成（ステップQ-7）が選択された場合と、図２３に示すフローチャートの処理（ユーザ情報の登録・変更・削除）において、ユーザグループの作成（ステップR-7）が選択された場合とに分けて行われる（ステップS-4）。この場合、試験申し込みモジュール２３０は、ユーザグループ登録画面（図９）を提供し、管理者４２０またはユーザ４１０はユーザグループ登録画面（図９）にて、ユーザグループ名（C-1）、管理者４２０とユーザ４１０とがユーザグループ参加時に認証するための登録用パスワード（C-2）、ユーザグループの管理の際に必要な管理用パスワード（C-3）を入力し（ステップS-5）、登録ボタン（C-4）を押す（ステップS-6）。
【００５６】
これにより、入力された情報は試験申し込みモジュール２３０からユーザ管理モジュール２２０に送信され、ユーザグループ情報２１２に書き込まれる。また、ユーザグループ情報２１２の代表ユーザＩＤ２１２Ｄには登録作業を行った管理者４２０またはユーザ４１０のユーザＩＤ２１１Ａが格納される。その後、必要なら管理者・ユーザ情報の作成／変更処理に戻り（ステップS-7）、管理者・ユーザ情報の作成／変更処理が全て終了すると、ユーザグループ管理の処理を終了する。
また、ユーザグループ情報を変更する場合は、試験申し込みモジュール２３０により提供されるログイン画面（図４）で、ユーザＩＤ（A-1）、パスワード（A-2）を入力し、ログインボタン（A-4 ）を押す。
【００５７】
これにより、試験申し込みモジュール２３０によって、ユーザ情報２１１のユーザＩＤ２１１Ａとパスワード２１１Ｄの情報でもってユーザ認証がなされる（ステップS-8）。このユーザ認証を通過した場合、ユーザ情報２１１の管理者フラグ２１１Ｉを参照し、該フラグが"１"なら管理者用画面（図１０）を、該フラグが"０"ならユーザ画面（図１１）を、試験申し込みモジュール２３０は提供する。これにより、管理者用画面（図１０）の場合はユーザグループ管理ボタン（D-1）を、ユーザ用画面（図１１）の場合はユーザグループ管理ボタン（E-4）を押せば、試験申し込みモジュール２３０により、ユーザグループ管理画面（図１２）が提供される。
このユーザグループ管理画面（図１２）では、変更するユーザグループＩＤ（F-1）と、このユーザグループに設定されている管理者用パスワード（F-2）（いずれも必須項目）を入力する。
【００５８】
また、変更項目として、ユーザグループ名（F-3）、管理者ユーザID（F-4）、登録用パスワード（F-5）、及び管理者用パスワード（F-6）の情報を入力し（ステップS-9）、変更ボタン（F-7）を押す。入力されたグループＩＤ（F-1）及びそのユーザグループに設定されている管理者用パスワード（F-2）が、ユーザグループ情報２１２のユーザグループＩＤ２１２Ａ及び管理者パスワード２１２Ｅと、それぞれ一致していることを確認してから、ユーザ登録モジュール２２０により、ユーザグループ情報を変更する（ステップS-10）。この変更情報は、該変更を実行した管理者４２０またはユーザ４１０に対して出力画面にて提供し（ステップS-11）、ユーザグループ管理の処理を終了する。
【００５９】
また、ステップS-3での検証により、ユーザグループ情報を削除する場合は、試験申し込みモジュール２３０により提供されるログイン画面（図４）で、ユーザＩＤ（A-1）、及びパスワード（A-2）を入力し、ログインボタン（A-4）を押す。これにより、試験申し込みモジュール２３０によってユーザ情報２１１に基づくユーザ認証がなされる（ステップS-8）。このユーザ認証を通過した場合、ユーザ情報２１１管理者フラグ２１１Ｉを参照し、該フラグが"１"なら管理者用画面（図１０）を、該フラグが"０"ならユーザ画面（図１１）を、試験申し込みモジュール２３０によって提供される。
管理者用画面（図１０）の場合はユーザグループ管理ボタン（D-1）、ユーザ用画面（図１１）の場合はユーザグループ管理ボタン（E-4）を押すと、試験申し込みモジュールによってユーザグループ管理画面（図１２）が提供される。
【００６０】
このユーザグループ管理画面（図１２）では、削除するグループＩＤ（F-1 ）と、このユーザグループに設定されている管理者用パスワード（F-2）とを入力し（ステップS-9）、削除ボタン（F-8）を押す。入力されたグループID（F-1）及びそのユーザグループに設定されている管理者用パスワード（F-2）が、ユーザグループ情報２１２のユーザグループＩＤ２１２Ａ及び管理者パスワード２１２Ｅと、それぞれ一致していることを確認すると、ユーザ登録モジュール２２０により、ユーザグループ情報２１２から対象のユーザグループ情報を削除する（ステップS-10）。この削除情報は削除を実行した管理者４２０またはユーザ４１０に出力画面で提供される（ステップS-11）。
【００６１】
図２５は、試験グループ情報の登録・変更・削除処理の場合の動作手順を示すフローチャート図である。
次に、図２５に示すフローチャートを参照して、試験グループ情報の登録・変更・削除処理の場合の動作を説明するが、上記の登録・変更・削除処理に使用される管理端末３３０の操作画面は、図１３〜１５に示す画面であり、出力画面は図１６であるので、以下では、この場合の図１３〜１５に示す操作画面及び図１６に示す出力画面についても併せて説明する。
図１３は、試験作成の際のログイン用操作画面を示す説明図である。
図１４は、試験管理者用の操作画面を示す説明図である。
図１５は、試験グループを管理する際の管理者用の操作画面を示す説明図である。
図１６は、試験グループ情報の出力画面を示す説明図である。
【００６２】
先ず、管理者４２０は、管理端末３３０を使用し、インターネット／組織内ネットワーク等９００を介して試験管理モジュール１２０にアクセスすると、試験管理モジュール１２０は試験作成ログイン画面（図１３）を提供する（ステップT-2）。
次に、管理者４２０は、試験作成ログイン画面（図１３）でユーザID（G-1）、パスワード（G-2）を入力し、ログインボタン（G-3）を押す。これにより、試験管理モジュール１２０は、ユーザ情報を、ユーザ情報２１１と比較してユーザ認証がなされる。このユーザ認証ではユーザＩＤ２１１Ａとパスワード２１１Ｄの認証に加えて、管理者フラグ２１１Ｉも参照し、該フラグが"１"であることも確認する（ステップT-3）。全ての認証と確認を通過すると、試験管理モジュール１２０は、試験管理用画面（図１４）を提供する。
【００６３】
ステップT-4の検証において、試験グループ情報の登録の場合は、試験管理用画面（図１４）において試験グループ管理ボタン（H-1）を押し、これにより、試験管理モジュール１２０が試験グループ管理画面（図１５）を提供する。
管理者４２０は、提供された試験グループ管理画面（図１５）で、試験グループ名（I-1）、試験機関名（I-2）、登録用パスワード（I-3）、管理用パスワード（I-4）を入力し（ステップT-5）、登録ボタン（I-12）を押す。これにより、入力された試験グループ情報は試験管理モジュール１２０から試験グループ情報１１１へ書き込まれる。また、この時、試験グループＩＤ１１１Ａが、試験管理モジュール１２０により発行されて、試験グループ情報１１１の試験グループＩＤ１１１Ａに格納される。また、試験グループ情報１１１の管理者ＩＤ１１１Ｄには、登録作業を行った管理者４２０のユーザＩＤ２１１Ａが格納される（ステップT-6）。その後、作成結果として、発行された試験グループＩＤ１１１Ａや登録された情報を表示し（ステップT-7）、試験グループ管理の処理を終了する。
【００６４】
また、ステップT-4の検証において、試験グループを変更する場合は、試験管理モジュール１２０より提供される試験グループ管理画面（図１５）の変更対象の試験グループＩＤ１１１Ａを試験グループＩＤ（I-5）に入力し、その管理用パスワード１１１Ｅを、現在の管理用パスワード（I-6）（必須項目）でもって入力する。また、変更項目として試験グループ名（I-7）、試験機関名（I-8 ）、管理者ユーザID（I-9）、登録用パスワード（I-10）、及び管理用パスワード（I-11）を入力し、変更ボタン（I-13）を押す（ステップT-8）。入力された試験グループＩＤ（I-5 ）及びその管理用パスワード（I-6）が、試験グループ情報１１１の試験グループＩＤ１１１Ａ及び管理用パスワード１１１Ｅと、それぞれ一致することを確認してから、試験管理モジュール１２０は、変更情報を試験グループ情報１１１に書き込む（ステップT-9)。その後、変更された情報を表示して（ステップT-10）、試験グループ管理の処理を終了する。
【００６５】
また、ステップT-4の検証において、試験グループを削除する場合は、試験管理モジュール１２０より提供される試験グループ管理画面（図１５）の削除対象の試験グループＩＤ１１１Ａを試験グループＩＤ（I-5）に入力し、その管理用パスワード１１１Ｅを現在の管理用パスワード（I-6 ）（必須項目）で入力し、削除ボタン（I-14）を押す（ステップT-8）。入力された試験グループＩＤ（I-5）及びその管理用パスワード（I-6）が、試験グループ情報１１１の試験グループＩＤ１１１Ａ及び管理用パスワード１１１Ｅと、それぞれ一致することを確認してから、試験管理モジュール１２０は、対象の試験グループ情報を試験グループ情報１１１から削除する（ステップT-9)。その後、該削除された情報を表示し（ステップT-10）、試験グループ管理の処理を終了する。
【００６６】
図２６は、試験情報の登録・変更・削除処理の場合の動作手順を示すフローチャート図である。
次に、図２６に示すフローチャートを参照して、試験情報の登録・変更・削除処理の場合の動作を説明するが、上記の登録・変更・削除処理に使用される管理端末４２０の操作画面は、図１３，１４，１７に示す画面であるので、以下では、この場合の図１３，１４，１７に示す操作画面についても併せて説明する。
図１７は、試験情報を管理する際の管理者用操作画面を示す説明図である。
【００６７】
先ず、管理者４２０は、管理端末３３０を使用し、インターネット／組織内ネットワーク等９００を介して試験管理モジュール１２０にアクセスする。これにより、試験管理モジュール１２０は試験作成ログイン画面（図１３）を提供する（ステップU-2）。次に、管理者４２０は、試験作成ログイン画面（図１３）で、ユーザＩＤ（G-1）、及びパスワード（G-2）を入力し、ログインボタン（G-3）を押す。これにより、試験管理モジュール１２０は、ユーザ情報をユーザ情報２１１と比較し、ユーザ認証がなされる。このユーザ認証では、ユーザＩＤ２１１Ａとパスワード２１１Ｄの認証に加えて、管理者フラグ２１１Ｉを参照し、該フラグが"１"であることも確認する（ステップU-3）。全ての認証、確認を通過した場合、試験管理モジュール１２０は、試験管理用画面（図１４）を提供する。試験管理用画面（図１４）では試験情報管理ボタン（H-2）を押し、試験管理モジュール１２０が試験情報管理画面（図１７）を提供する。
【００６８】
ステップU-4での検証結果において、試験情報を登録する場合は、管理者４２０は、提供された試験情報管理画面（図１７）にて、試験名（J-1）、出題数（J-2）、最大点数（J-3）、最小点数（J-4）、合格点（J-5）、受験料金（J-6）、試験を所属させるための試験グループID（J-7）、試験グループの登録用パスワード（J-8）、次回同じ試験を受ける場合に発行するポイント数を決定するための点数にかける倍数（J-9）、次回同じグループ試験を受ける場合に発行するポイント数を決定する為の点数にかける倍数（J-10）、それ以外の試験を受ける場合に発行するポイント数を決定する為の点数にかける倍数(J-11)、ポイント管理時の試験作成機関と試験提供組織のポイント管理負担額割合（J-12）、及び登録用パスワード（J-13）と管理用パスワード（J-14）とを入力し（ステップU-5）、登録ボタン（J-15）を押す。入力された試験情報は試験管理モジュール１２０から試験情報１１２へ書き込まれて登録される。この時、試験ＩＤ１１２Ａが試験管理モジュール１２０により発行され、試験情報１１２の試験ＩＤ１１２Ａに格納される。試験情報１１２の管理者ＩＤ１１２Ｍには登録作業を行った管理者４２０のユーザＩＤ２１１Ａが格納される（ステップU-6）。その後、発行された試験ＩＤ１１２Ａや、登録された情報を表示し（ステップU-7）、試験情報管理の処理を終了する。
【００６９】
また、ステップU-4での検証結果において、試験情報を変更する場合は、試験管理モジュール１２０より提供される試験管理画面（図１７）の試験ＩＤ（J-16）に、変更対象の試験ＩＤ１１２Ａを入力し、その管理用パスワード１１２Ｏを、管理用パスワード（J-17）に入力し、読み込みボタン（J-18）を押す（ステップU-8 ）。入力された試験ＩＤ（J-16）及び管理用パスワード（J-17）が、試験情報１１２の試験ＩＤ１１２Ａ及び管理用パスワード１１２O と、それぞれ一致していれば、現在の試験情報が試験情報１１２から読み込まれて、試験管理画面（図１７）の各項目に表示される（ステップU-8）。ここで、対象の変更項目を変更し、登録ボタン（J-15）を押すと、入力された試験情報は、試験管理モジュール１２０から試験情報１１２へ書き込まれる（ステップU-9）。その後、変更された情報を表示して（ステップU-10）、試験情報管理の処理を終了する。
【００７０】
また、ステップU-4 での検証結果において、試験情報を削除する場合は、試験管理モジュール１２０より提供される試験管理画面（図１７）の試験ＩＤ（J-16）に削除対象の試験ＩＤ１１２Ａを入力し、また、その管理用パスワード１１２Ｏを管理用パスワード（J-17）に入力し、削除ボタン（J-19）を押す（ステップU-8）。入力された試験ＩＤ（J-16）及び管理用パスワード（J-17）が、試験情報１１２の試験ＩＤ１１２Ａ及び管理用パスワード１１２Ｏと、それぞれ一致していれば、該試験情報が試験情報１１２から削除される（ステップU-9）、その後、該削除された情報を表示し（ステップU-10）、試験情報管理の処理を終了する。
【００７１】
図２７は、問題・選択肢情報の登録・変更・削除処理の場合の動作手順を示すフローチャート図である。
次に、図２７に示すフローチャートを参照して、問題・選択肢情報の登録・変更・削除処理の場合の動作を説明するが、上記の登録・変更・削除処理に使用される管理端末３３０の操作画面は、図１３，１４，１８に示す画面であるので、以下では、この場合の図１３，１４，１８に示す操作画面についても併せて説明する。
図１８は、問題・選択肢情報を管理する際の管理者用操作画面を示す説明図である。
【００７２】
先ず、管理者４２０は、管理端末３３０を使用し、インターネット／組織内ネットワーク等９００を介して試験管理モジュール１２０にアクセスする。これにより、試験管理モジュール１２０は、試験作成ログイン画面（図１３）を提供する（ステップV-2）。次に、管理者４２０は、試験作成ログイン画面（図１３）にてユーザＩＤ（G-1）、及びパスワード（G-2）を入力し、ログインボタン（G-3 ）を押す。これにより、試験管理モジュール１２０は、ユーザ情報をユーザ情報２１１と比較してユーザ認証がなされる。このユーザ認証ではユーザＩＤ２１１Ａとパスワード２１１Ｄの認証に加えて、管理者フラグ２１１Ｉを参照し、該フラグが"１"であることも確認する（ステップV-3）。全ての認証、確認を通過した場合、試験管理モジュール１２０は、試験管理用画面（図１４）を提供する。この試験管理用画面（図１４）では問題・選択肢管理ボタン（H-3）を押すと、試験管理モジュール１２０が問題・選択肢情報管理画面（図１８）を提供する。
【００７３】
ステップV-4での検証結果において、問題・選択肢情報を登録する場合、管理者４２０は、提供された問題・選択肢情報管理画面（図１８）にて、問題文（K-1）、選択肢文（K-2）、その選択肢が正解かどうかの正解情報（K-3）、問題を所属させるための試験ID（K-4）、その試験への登録用パスワード（K-5）、問題の点数（K-6）、及び問題の管理用パスワード（K-7）を入力し（ステップV-5）、登録ボタン（K-8）を押す。入力された試験ＩＤ（K-4）及び登録用パスワード（K-5）が、試験情報１１２の試験ＩＤ１１２Ａ及びその登録用パスワード１１２Ｎと、それぞれ一致していれば、入力された問題・選択肢情報は、試験管理モジュール１２０により、問題情報１１３と選択肢情報１１４に書き込まれる。この書き込まれる情報は、問題文（K-1 ）が問題情報１１３の問題文１１３Cに、選択肢文（K-2）が選択肢情報１１４の選択肢文１１４Cに、それぞれ書き込まれる。
【００７４】
また、正解情報（K-3）が選択された場合には選択肢情報１１４の正解フラグ１１４Ｄに"１"が、正解情報（K-3）が選択されなかった場合は正解フラグ１１４Ｄに"０"が、それぞれ書き込まれる。さらに、試験ＩＤ（K-4）が問題情報１１３の試験ＩＤ１１３Ｂに、問題の点数（K-6）が問題情報１１３の点数１１３Ｄに、問題の管理用パスワード（K-7）が問題情報１１３の管理用パスワード１１３Ｆに、問題を作成したユーザのユーザＩＤ２１１Ａが問題情報１１３の管理者ＩＤ１１３Ｅに、それぞれ格納される。
【００７５】
この時、該問題に対して、問題ＩＤ１１３Ａが、試験管理モジュール１２０により発行され、問題情報１１３の問題ＩＤ１１３Ａに格納され、選択肢１つずつに対して選択肢ＩＤ１１４Ａが試験管理モジュール１２０により発行され、選択肢情報１１４の選択肢ＩＤ１１４Ａに格納される。
また、選択肢情報１１４に選択肢が格納されるときに、その選択肢が所属している問題の問題ＩＤ１１３Ａが選択肢情報１１４の問題ＩＤ１１４Ｂに格納され、対象の選択肢がどの問題の選択肢かということを示すリレーションが構築される。その後、発行された試験ＩＤ１１２Ａや、登録された情報を表示し（ステップV-7）、問題・選択肢管理の処理を終了する。
【００７６】
また、ステップV-4での検証結果において、問題・選択肢情報を変更する場合は、試験管理モジュール１２０より提供される問題・選択肢管理画面（図１８）の問題ＩＤ（K-9）に変更対象の問題ＩＤ１１３Ａを入力し、その管理用パスワード１１３Ｆを管理用パスワード（K-10）に入力し、読み込みボタン（K-11）を押す。入力された問題ＩＤ（K-9）及び管理用パスワード（K-10）が、問題情報１１３の問題ＩＤ１１３Ａ及び管理用パスワード１１３Ｆと、それぞれ一致していれば、現在の問題情報が問題情報１１３から読み込まれ、また、この問題ＩＤ１１３Ａと同じ問題ＩＤ１１４Ｂを有する選択肢情報が選択肢情報１１４から読み込まれて、問題・選択肢管理画面（図１８）の各項目に表示される（ステップV-8）。ここで、対象の変更項目を変更し、登録ボタン（K-8）を押す。入力された試験情報は試験管理モジュール１２０から問題情報１１３と選択肢情報１１４へ書き込まれる（V-9）。その後、変更された情報を表示し（ステップV-10）、問題・選択肢管理の処理を終了する。
【００７７】
また、ステップV-4 での検証結果において、問題・選択肢情報を削除する場合は、試験管理モジュール１２０より提供される問題・選択肢管理画面（図１８）の問題ＩＤ（K-9）に、削除対象の問題ＩＤ１１３Ａを入力し、その管理用パスワード１１３Ｆを管理用パスワード（K-10）に入力し、削除ボタン（K-12）を押す（ステップV-8 ）。入力された問題ID（K-9）及び管理用パスワード（K-10）が、問題情報１１３の問題ＩＤ１１３Ａ及び管理用パスワード１１３Ｆと、それぞれ一致していれば、問題・選択肢情報が問題情報１１３及び選択肢情報１１４から削除される（ステップV-9）、その後、削除された情報を表示し（ステップV-10）、問題・選択肢管理の処理を終了する。
【００７８】
図２８は、受験の申し込み・キャンセル処理の場合の動作手順を示すフローチャート図である。
次に、図２８に示すフローチャートを参照して、受験の申し込み・キャンセル処理の場合の動作を説明するが、上記の申し込み・キャンセル処理に使用されるユーザ端末３２０の操作画面は、図４，１１，１９に示す画面であるので、以下では、この場合の図４，１１，１９に示す操作画面についても併せて説明する。
図１９は、試験選択・申し込みの際のユーザ用操作画面を示す説明図である。
【００７９】
先ず、ユーザ４１０は、ユーザ端末３２０を使用して、インターネット／組織内ネットワーク等９００を介し、試験申し込みモジュール２３０にアクセスする（ステップW-2）。これにより、試験申し込みモジュール２３０により、ログイン画面（図４）が提供されるで、該画面で、ユーザＩＤ（A-1）、パスワード（A-2 ）を入力し、ログインボタン（A-4）を押す。これにより、試験申し込みモジュール２３０によってユーザ情報２１１を基にユーザ認証が行われる（ステップW-3）。このユーザ認証を通過すると、試験申し込みモジュール２３０は、ユーザ用画面（図１１）を提供する（ステップW-4）。このユーザ用画面（図１１）の試験検索・申し込みボタン（E-1）を押すと、試験申し込みモジュール２３０は、試験選択・申し込み画面（図１９）を提供する。
【００８０】
ステップW-5での検証結果において、申し込みの場合は、ユーザ４１０は、試験選択・申し込み画面（図１９）にて、試験名（L-1）、試験機関名（L-2）、及び受験料金（L-3）を入力し、検索ボタン（L-4）を押すことで、試験（情報）を検索することができる（ステップW-6）。この検索結果は、試験選択・申し込み画面（図１９）に表示される。試験名（入力した試験名（L-1）の詳細）は、試験情報１１２の試験名１１２Ｂより検索される。試験機関名を選択する時の試験機関名（L-2）は、試験グループ１１１の試験機関名１１１Ｆを候補として表示される。該選択された試験機関の試験グループＩＤ１１１Ａと同じ試験グループＩＤ１１２Ｇを試験情報１１２より検索する。受験料金（入力した受験料金範囲（L-3）の実際）は試験情報１１２の受験料金１１２Ｈより検索し、表示する。
【００８１】
また、一覧表示の際には使用可能ポイント（L-5）を表示するが、この計算は、対象のユーザ４１０が過去に受験した結果である試験結果情報２１３の受験予定ＩＤ２１３Ｂ及び受験予定情報１１５の受験予定ＩＤ１１５Ａをリレーションすることで、受験予定情報１１５のユーザＩＤ１１５Ｂのユーザ４１０が試験ＩＤ１１５Ｃの試験を受験し、試験結果情報２１３の点数２１３Ｃの点数を取得したことが分かる。
【００８２】
また、ユーザ４１０が、過去にポイントの使用や、ポイントに変換可能な点数情報を交換した場合、どの試験の点数をポイントに変換・交換して使用・取得したかという情報を、ポイント使用履歴情報２１４のユーザＩＤ２１４Ｂ、試験ＩＤ２１４Ｃ、使用点数２１４Ｄより導き出す。その差し引きを計算すると、ユーザ４１０に対して「どの試験ＩＤに対して何点分の点数がポイントに変換できるか」という情報を試験申し込みモジュール２３０が計算する。この検索の結果、表示される試験の試験ＩＤ１１２Ａと試験グループＩＤ１１２Ｇと前述した試験申し込みモジュール２３０が計算した「どの試験ＩＤに対して何点分の点数がポイントに変換できるか」という情報の試験ＩＤ１１２Ａと試験グループＩＤ１１２Ｇを比較して、同試験ポイント乗率１１２I を適用すべきか、グループ試験ポイント乗率１１２Ｊを適用すべきか、他試験ポイント乗率１１２を適用用すべきかを、検索結果の試験毎に判断して使用可能ポイントを計算し、試験選択・申し込み画面（図１９）内の検索結果の使用可能ポイント（L-5）に表示する（ステップW-7）。
【００８３】
ユーザ４１０は、試験選択・申し込み画面（図１９）内の検索結果一覧から申し込む試験を選択し、申し込みボタン（L-7）を押し、受験日時を登録する。申し込みを行った場合、試験申し込みモジュール２３０は、受験予定情報１１５に申し込みをしたユーザ情報をユーザＩＤ１１５Ｂに、申し込んだ試験情報を試験ＩＤ１１５Ｃに、及び受験日時を１１５Ｄに、それぞれ格納し、さらに、試験申し込みモジュール２３０が発行した試験予定ＩＤを試験予定ＩＤ１１５Ａに格納する。また受験申し込みの際に使用したポイントはポイント使用履歴情報２１４に書き込まれる。この書き込まれる内容は、実際にポイントに変換した試験の点数とその試験ＩＤである。
【００８４】
ユーザＩＤ２１４Ｂにはポイントを使用したユーザのユーザＩＤ２１１Ａを書き込み、試験ＩＤ２１４Ｃと使用点数２１４Ｄには、前述した試験申し込みモジュール２３０が計算した「どの試験ＩＤに対して何点分の点数がポイントに変換できるか」という情報からとって、その試験ＩＤを試験ＩＤ２１４Ｃに書き込み、さらに、ポイントに変換した点数を使用点数２１４Ｄに書き込む。１つの試験ＩＤ及び使用ポイント毎に前記のデータを書き込み、全ての対象のデータの受験予定２１４Ｅには、ポイントを使用して受験を申し込んだときに発行された試験予定ＩＤ１１５Ａを格納する。各データのポイント使用履歴ＩＤ２１４Ａには試験申し込みモジュール２３０が発行したポイント使用履歴ＩＤが書き込まれる（ステップW-8）。その後申し込み結果を画面に表示し（ステップW-9）、受験の申し込み管理の処理を終了する。
【００８５】
また、ステップW-5 での検証結果において、受験申し込みをキャンセルする場合は、試験申し込みモジュール２３０より提供されるユーザ用画面（図１１）の受験予定試験一覧よりキャンセルボタン（E-8）を押す。ユーザ用画面（図１１）の受験予定試験一覧は受験予定情報１１５の情報より構成されており、キャンセル処理で対象の受験予定情報１１５の情報が削除され、同時に受験予定ＩＤ１１５Ａに一致する受験予定ＩＤ２１４Ｅのデータがポイント使用履歴情報２１４から削除される（ステップW-10）。その後、キャンセル処理の結果を画面に表示し（ステップW-11）、受験の申し込み管理の処理を終了する。
【００８６】
図２９は、試験の受験処理の場合の動作手順を示すフローチャート図である。
次に、図２９に示すフローチャートを参照して、試験の受験処理の場合の動作を説明するが、上記の試験の受験処理に使用される受験端末３１０の操作画面は、図２０に示す画面であるので、以下では、この場合の図２０に示す操作画面についても併せて説明する。
図２０は、試験を受験する際のユーザ用操作画面を示す説明図である。
【００８７】
先ず、ユーザ４１０は、受験端末３１０を使用して、インターネット／組織内ネットワーク等９００を介し、試験実施モジュール１３０にアクセスする（ステップX-2）。これにより、試験実施モジュール１３０は、ユーザ４１０に、試験受験ログイン画面（図２０）を提供する。ここで、ユーザ４１０は、ユーザID（M-1）、パスワード（M-2）、及び試験ID（M-3）を入力し、試験実行ボタン（M-4）を押す。これにより、試験実施モジュール１３０により、ユーザ情報２１１に基づくユーザ認証がなされる。
【００８８】
また、受験予定情報１１５より入力された試験ＩＤ（M-3）が受験予定情報の試験ID１１５C と一致しているか否かが確認される（ステップX-3）。このユーザ認証、受験予定認証を通過した場合、試験実施モジュール１３０は、試験実施画面（図示は省略）を、ユーザ４１０に提供する。この試験実施画面は、受験予定の試験ＩＤ１１５Ｃと一致する試験ＩＤ１１２Ａの試験情報１１２から取得し、その試験ＩＤ１１２Ａと一致する試験ＩＤ１１３Ｂを有する問題を問題情報１１３から取得し、そこに格納されている問題ＩＤ１１３Ａと一致する問題ＩＤ１１４Ｂを有する選択肢を選択肢情報１１４から取得することで作成する（ステップX-4）。
【００８９】
試験終了後は、試験実施モジュール１３０は、受験した対象の受験予定情報１１５の受験予定ＩＤ１１５Ａを試験結果情報２１３の受験予定ＩＤ２１３Ｂに、点数データを点数２１３Ｃに、それぞれ書き込む。さらに、試験結果が合格だった場合は合否フラグ２１４に"１"を書き込み、また、不合格だった場合は該フラグに"０"を書き込む。さらに、試験実施モジュール１３０は、試験結果ＩＤを発行し、試験結果ＩＤ２１３Ａに書き込む（ステップX-5）。
【００９０】
図３０は、ポイントの管理処理（即ち、ポイントの確認とポイント変換用の点数情報の移行処理）の場合の動作手順を示すフローチャート図である。
次に、図３０に示すフローチャートを参照して、ポイントの管理処理の場合の動作を説明するが、上記のポイントの管理処理に使用されるユーザ端末３２０の操作画面は、図４，１１，２１に示す画面であるので、以下では、この場合の図４，１１，２１に示す操作画面についても併せて説明する。
図２１は、ユーザポイントを管理する際のユーザ用操作画面を示す説明図である。
【００９１】
先ず、ユーザ４１０は、ユーザ端末３２０を使用して、インターネット／組織内ネットワーク等９００を介し、試験申し込みモジュール２３０にアクセスする（ステップY-2）。これにより、試験申し込みモジュール２３０が、ログイン画面（図４）を提供するので、ユーザID（A-1）、パスワード（A-2）を入力し、ログインボタン（A-4）を押す。これにより、試験申し込みモジュール２３０により、ユーザ情報２１１に基づくユーザ認証がなされる（ステップY-3）。このユーザ認証を通過した場合、試験申し込みモジュール２３０は、ユーザ用画面（図１１）を提供する。このユーザ用画面（図１１）でポイント管理ボタン（E-3）を押すと、試験申し込みモジュール２３０は、ポイント管理画面（図２１）を提供する。
【００９２】
ポイント管理画面（図２１）にはユーザポイント使用可能持ち点一覧（N-1）としてポイント移行可能な試験点数とポイント還元情報が表示される。これは試験情報１１２と受験結果情報２１３と受験予定情報１１５より、ログインしているユーザの試験が終了している試験ＩＤとその点数の情報と、ログインしているユーザの情報をポイント使用履歴情報２１４のポイント使用・移行情報から導き出されたものである（ステップY-4）。この後、ステップY-5 での検証により、ユーザ４１０がポイント移行しない場合は、直ちにポイント管理処理を終了する。
【００９３】
また、ステップY-5での検証により、ユーザ４１０がポイント移行する場合は、試験申し込みモジュール２３０が提供するポイント管理画面（図２１）にて、移行用の情報として、試験ＩＤ（N-2）、点数（N-3）、及び移行先のユーザＩＤ（N-4）を入力し、実行ボタン（N-5）を押す。ここで試験申し込みモジュール２３０は、移行元ユーザと移行先ユーザのユーザ情報２１１内の所属グループＩＤ２１１Ｈとの一致を確認し、移行情報をポイント使用履歴情報２１４に書き込む。ここで、ポイント使用履歴情報２１４に格納する使用点数は、点数消費のときは正の数、また、ポイント移行によってポイントを取得したときは負の数を格納するものとする。
【００９４】
この実施形態によれば、試験の点数を元にしてポイントを発行し、次回の受験料の割引に使用することができる。このように試験の結果（点数）を元にしてポイントを発行することで、受験者のモチベーションの向上や、再受験や他試験への受験を促進する効果が生じる。
また、ポイント管理の際には、ポイントと試験の種類についての倍率を試験毎に定めることで、たとえ点数の範囲（即ち、最大点と最小点）が異なる試験の場合であっても、同じポイントの運用が可能になる効果がある。
さらに、ユーザ同士でポイントに変換可能な点数情報を交換できる構成としたので、ユーザ同士がポイントの交換を行うことが可能となり、同試験等の受験率の向上に役立つ効果が得られる。
【００９５】
なお、本発明に係る資格取得試験のポイント管理システムの各構成要素の処理の少なくとも一部をコンピュータ制御により実行するものとし、かつ、上記処理を、図２２〜３０の各フローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【産業上の利用可能性】
【００９６】
本発明は、資格取得試験のポイント管理システムの構築に適用可能であり、特に、資格取得試験の点数によるポイントの発行と、該ポイントの使用を可能にすると共に、ユーザ間でのポイント交換ができるようにして、受験を促進させることができる資格取得試験のポイント管理システムの構築に好適である。
【符号の説明】
【００９７】
１００  試験実施システム
１１１  試験グループ情報（データベース）
１１２  試験情報（データベース）
１１３  問題情報（データベース）
１１４  選択肢情報（データベース）
１１５  受験予定情報（データベース）
１２０  試験管理モジュール
１３０  試験実施モジュール
２００  ポイント・受験管理システム
２１１  ユーザ情報（データベース）
２１２  ユーザグループ情報（データベース）
２１３  試験結果情報（データベース）
２１４  ポイント使用履歴（データベース）
２２０  ユーザ登録モジュール
２３０  試験申し込みモジュール
３１０  受験端末（端末装置）
３２０  ユーザ端末（端末装置）
３３０  管理端末（端末装置）
９００  インターネット組織内ネットワーク等
【図１】
2011141736.tif 000003
【図２】
2011141736.tif 000004
【図３】
2011141736.tif 000005
【図４】
2011141736.tif 000006
【図５】
2011141736.tif 000007
【図６】
2011141736.tif 000008
【図７】
2011141736.tif 000009
【図８】
2011141736.tif 000010
【図９】
2011141736.tif 000011
【図１０】
2011141736.tif 000012
【図１１】
2011141736.tif 000013
【図１２】
2011141736.tif 000014
【図１３】
2011141736.tif 000015
【図１４】
2011141736.tif 000016
【図１５】
2011141736.tif 000017
【図１６】
2011141736.tif 000018
【図１７】
2011141736.tif 000019
【図１８】
2011141736.tif 000020
【図１９】
2011141736.tif 000021
【図２０】
2011141736.tif 000022
【図２１】
2011141736.tif 000023
【図２２】
2011141736.tif 000024
【図２３】
2011141736.tif 000025
【図２４】
2011141736.tif 000026
【図２５】
2011141736.tif 000027
【図２６】
2011141736.tif 000028
【図２７】
2011141736.tif 000029
【図２８】
2011141736.tif 000030
【図２９】
2011141736.tif 000031
【図３０】
2011141736.tif 000032